(57)【要約】【課題】装着構造を有する空調装置用排水ポンプを提供する。【解決手段】装着構造を有する空調装置用排水ポンプはホルダー、ハウジングおよび蓋を備える。ハウジングはホルダーの上方に配置されてホルダーとの間が排水室になる。排水羽根車は排水室内に配置される。モーターはハウジング内に格納される。蓋はハウジングを覆う。ハウジングは複数の固定脚部材を有する。複数の固定脚部材はハウジングの頂部から外側かつ上方の所定の高さまで斜めに伸びて形成され、板状胴部、二つの補強リブおよび平坦部を有する。二つの補強リブは板状胴部の両側に位置し、相互に平行である。平坦部は固定脚部材の頂部に位置し、固定孔を有する。蓋は辺縁部の凹んだ所からなる複数の後退空間を有する。複数の後退空間に複数の固定脚部材を差し込めばハウジングの頂部に蓋を覆うことができる。【選択図】図２
2020165421.tif 000002
【特許請求の範囲】
【請求項１】
ホルダー、ハウジングおよび蓋を備え、
前記ホルダーは、底部に形成された吸水口および側面に形成された排水口を有し、
前記ハウジングは、円筒状を呈し、前記ホルダーの上方に配置されて前記ホルダーとの間が排水室になり、前記排水室は前記吸水口および前記排水口に繋がり、
前記ハウジングは、モーター格納室および溢水収容室を有し、排水羽根車は前記排水室内に配置され、モーターは前記モーター格納室内に格納され、前記溢水収容室は前記モーター格納室の下方に位置し、底部に前記排水室に繋がる穿孔を有し、
前記排水羽根車および前記モーターの駆動軸は前記穿孔によって相互に連結され、
前記蓋は、前記ハウジングに配置されて前記モーター格納室を覆い、
前記ハウジングは、複数の固定脚部材を有し、
複数の前記固定脚部材は前記ハウジングの頂部から外側かつ上方の所定の高さまで斜めに伸びて形成され、板状胴部、二つの補強リブおよび平坦部を有し、
二つの前記補強リブは前記板状胴部の両側に位置し、相互に平行であり、
前記平坦部は前記固定脚部材の頂部に位置し、固定孔を有し、
前記蓋は、辺縁部の凹んだ所からなる複数の後退空間を有し、
複数の前記後退空間に複数の前記固定脚部材を差し込めば前記ハウジングの頂部を前記蓋で覆うことができることを特徴とする、
装着構造を有する空調装置用排水ポンプ。
【請求項２】
複数の前記固定脚部材および前記ハウジングは一体成型であることを特徴とする請求項１に記載の装着構造を有する空調装置用排水ポンプ。
【請求項３】
前記固定脚部材の二つの前記補強リブは厚さが前記板状胴部の表面の底部から漸増し、前記板状胴部は表面部が二つの前記補強リブの表面部より低いことを特徴とする請求項１に記載の装着構造を有する空調装置用排水ポンプ。
【請求項４】
前記蓋は外周面に突出して形成された複数の凸状耳部を有し、前記ハウジングは外周面に突出して上下に伸びて形成された複数の柱状固定部を有し、複数のボルトは前記蓋の複数の前記凸状耳部に差し込まれて前記蓋を前記ハウジングの複数の前記柱状固定部の頂部に固定し、前記ホルダーは外周面に突出して形成された複数の凸状耳部を有し、複数のボルトは前記ホルダーの複数の前記凸状耳部に差し込まれて前記ホルダーを前記ハウジングの複数の前記柱状固定部の底部に固定することを特徴とする請求項１に記載の装着構造を有する空調装置用排水ポンプ。
【発明の詳細な説明】
【技術分野】
【０００１】
本発明は排水装置に関し、詳しくは装着構造を有する空調装置用排水ポンプに関するものである。
【背景技術】
【０００２】
特許文献１により掲示された空調装置用排水ポンプは、ハウジングが上方のモーターケース、筒状胴部および下方の排水ケースから構成され、モーターケースに配置された三つの上向きの固定脚部材と、モーターケースから外側へ伸びて形成された複数の凸状耳部と、筒状胴部から外側へ伸びて形成された複数の固定柱部とを有する。
空調装置用排水ポンプは三つの固定脚部材によって空調装置に装着される。モーターケースおよび筒状胴部を組み合わせる際、ボルトを凸状耳部に差し込んで固定柱部に締め付ければモーターケースを筒状胴部に固定することができる。
【０００３】
特許文献２により掲示された空調装置用排水ポンプは、モーターケース（図中の符号２）の頂部に不等辺三角形に分布した三つの固定脚部材と、モーターケースから外側へ伸びて形成された複数の凸状耳部（図中の符号２１）と、中間部位に位置するポンプケース（図中の符号１）から外側へ伸びて形成された複数の取付部（図中の符号１２）とを有する。
空調装置用排水ポンプは三つの固定脚部材によって空調装置に装着される。モーターケースの上方板体とポンプケースを固定する際、ボルトを凸状耳部に差し込んで取付部に締め付ければモーターケースをポンプケースに固定することができる。
【０００４】
特許文献３により掲示された空調装置用排水ポンプは、ハウジング全体がモーターおよび部分のモーター付属品を格納するケースである。
モーター（図中の符号６０）はケースの上段部位に位置付けられる。モーターの付属品（符号１１０の駆動軸および符号３０の保水板）はケースの中段部位に位置付けされる。該案において、ハウジングは頂部に三つの固定脚部材を有し、三つの固定脚部材によって空調装置に装着される。該案の図４に示すように、ハウジングはさらに相互に嵌まり合う凸状部および取付孔を有する。
【０００５】
上述した先行技術により、排水ポンプに固定脚部材を配置する際、ハウジング内の頂部にモーターが配置される状態によって固定脚部材の配置方式が異なることが明確になった。
【０００６】
上述した先行技術において、ハウジングの一番上に位置する蓋またはモーターケースの頂部に固定脚部材を配置する方式を採用する場合、ハウジングは別の連結部材によって上方の蓋またはモーターケースと結合するため、構造全体が比較的緩いだけでなく、排水ポンプが作動する際、組立作業が完了した後に生じた隙間が原因で騒音または振動が発生しやすい。固定脚部材をハウジングに配置する方式を採用する場合、モーターケースとハウジングを組み合わせるために如何に凸状部および取付孔を相互に対応させるかという問題が発生する。
【先行技術文献】
【特許文献】
【０００７】
【特許文献１】台湾特許Ｉ６１２９２１号公報
【特許文献２】特許４８７４７６５号公報
【特許文献３】特許５９３４５１５号公報
【発明の概要】
【発明が解決しようとする課題】
【０００８】
本発明は、装着構造を有する空調装置用排水ポンプを提供することを主な目的とする。装着構造を有する空調装置用排水ポンプは固定脚部材がハウジングに配置されるため、構造が従来の技術とは異なり、かつモーターケースとハウジングを組み合わせる際に問題が発生しないだけでなく、固定脚部材が蓋を妨害することがない。
【課題を解決するための手段】
【０００９】
上述した課題を解決するための装着構造を有する空調装置用排水ポンプは、ホルダー、ハウジングおよび蓋を備える。ホルダーは底部に形成された吸水口および側面に形成された排水口を有する。ハウジングは円筒状を呈し、ホルダーの上方に配置されてホルダーとの間が排水室になる。吸水口および排水口は排水室に繋がる。ハウジングはモーター格納室および溢水収容室を有する。排水羽根車は排水室内に配置される。モーターはモーター格納室内に格納される。溢水収容室はモーター格納室の下方に位置し、底部に排水室に繋がる穿孔を有する。排水羽根車およびモーターの駆動軸は穿孔によって相互に連結される。蓋はハウジングに配置されてモーター格納室に被さる。ハウジングはさらに複数の固定脚部材を有する。複数の固定脚部材はハウジングの頂部から外側かつ上方の所定の高さまで斜めに伸びて形成され、板状胴部、二つの補強リブおよび平坦部を有する。二つの補強リブは板状胴部の両側に位置し、相互に平行である。平坦部は固定脚部材の頂部に位置し、固定孔を有する。蓋は辺縁部の凹んだ所からなる複数の後退空間を有する。複数の後退空間に複数の固定脚部材を差し込めばハウジングの頂部に蓋を被せることができる。
【００１０】
上述したとおり、本発明は固定脚部材を蓋に配置する方式を採用せず、固定脚部材をハウジングに配置するため、従来の技術によって固定脚部材が蓋に配置されることが原因で構造が緩くなるという問題を解決できる。また、本発明は固定脚部材をハウジングに配置し、蓋に後退空間を形成するため、蓋が固定脚部材を妨害せずハウジングを覆う。従って、本発明は構造が従来の技術とは異なるだけでなく、モーターケースを取り付ける際に問題が発生せず、モーターケースとハウジングを組み合わせる際に遭遇する問題を解決し、効果を向上させることができる。
【図面の簡単な説明】
【００１１】
【図１】本発明の一実施形態による装着構造を有する空調装置用排水ポンプを示す斜視図である。
【図２】本発明の一実施形態による装着構造を有する空調装置用排水ポンプを示す分解斜視図である。
【図３】本発明の一実施形態による装着構造を有する空調装置用排水ポンプを示す分解斜視図の一部分である。
【図４】本発明の一実施形態による装着構造を有する空調装置用排水ポンプを下から見た分解斜視図である。
【図５】本発明の一実施形態による装着構造を有する空調装置用排水ポンプを示す平面図である。
【図６】図５中の６−６線に沿った断面図である。
【図７】本発明の一実施形態による装着構造を有する空調装置用排水ポンプが装着された状態を示す側面図である。
【発明を実施するための形態】
【００１２】
以下、本発明による装着構造を有する空調装置用排水ポンプを図面に基づいて説明する。
【００１３】
（一実施形態）
図１から図６に示すように、本発明の一実施形態による装着構造を有する空調装置用排水ポンプ１０はホルダー１１、ハウジング２１および蓋３１を備える。
【００１４】
ホルダー１１は、底部に形成された吸水口１２および側面に形成された排水口１４を有する。
【００１５】
ハウジング２１は、円筒状を呈し、ホルダー１１の上方に配置されてホルダー１１との間が排水室１８になる。吸水口１２および排水口１４は排水室１８に繋がる。ハウジング２１はモーター格納室２２および溢水収容室２４を有する。排水羽根車１９は排水室１８内に配置される。モーター２３はモーター格納室２２内に格納される。溢水収容室２４はモーター格納室２２の下方に位置する。
ハウジング２１は溢水収容室２４の側面に形成された複数の溢水孔２４１と、底部に形成された穿孔２６とを有する。溢水収容室２４内の水は溢水孔２４１から流出する。穿孔２６は排水室１８に繋がる。排水羽根車１９およびモーター２３の駆動軸は穿孔２６によって相互に連結される。
【００１６】
蓋３１は、ハウジング２１に配置されてモーター格納室２２を覆う。
【００１７】
ハウジング２１はさらに三つの固定脚部材２８を有する。それぞれの固定脚部材２８はハウジング２１の頂部から外側かつ上方の所定の高さまで斜めに伸びて形成され、板状胴部２８１、二つの補強リブ２８２および平坦部２８４を有する。二つの補強リブ２８２は板状胴部２８１の両側に位置し、相互に平行である。平坦部２８４は固定脚部材２８の頂部に位置し、固定孔２８５を有する。ボルト９９を固定孔２８５に差し込めば平坦部２８４を空調装置９１に締め付けて固定することができる。
製作工程において、三つの固定脚部材２８とハウジング２１は一体成型である。固定脚部材２８の二つの補強リブ２８２は厚さが板状胴部２８１の表面の底部から漸増する。つまり、図６に示すように、固定脚部材２８の二つの補強リブ２８２は厚さが板状胴部２８１の底部から板状胴部２８１の表面に垂直の方向へ漸増する。板状胴部２８１は表面部が二つの補強リブ２８２の表面部より低い。本実施形態において、固定脚部材２８は数が三つであるが、これに限らず、状況に応じて二つまたは四つでもよい。
【００１８】
蓋３１は、辺縁部の凹んだ所からなる三つの後退空間３２を有する。三つの後退空間３２に三つの固定脚部材２８を差し込めばハウジング２１の頂部に蓋３１を被せることができる。
【００１９】
蓋３１は外周面に突出して形成された複数の凸状耳部３１１を有する。ハウジング２１は外周面に突出して上下に伸びて形成された複数の柱状固定部２１１を有する。ホルダー１１は外周面に突出して形成された複数の凸状耳部１１１を有する。複数のボルト９９は蓋３１の複数の凸状耳部３１１に差し込まれて蓋３１をハウジング２１の柱状固定部２１１の頂部に固定する。複数のボルト９９はホルダー１１の凸状耳部１１１に差し込まれてホルダー１１をハウジング２１の柱状固定部２１１の底部に固定する。
【００２０】
以上は本実施形態の構築についての説明である。続いて、装着方法について説明を進める。
【００２１】
図６および図７に示すように、装着構造を有する空調装置用排水ポンプ１０を空調装置９１に装着する際、三つの固定脚部材２８の固定孔２８５に複数のボルト９９を差し込んで装着構造を有する空調装置用排水ポンプ１０を空調装置９１に締め付けて固定すればよい。
本発明の三つの固定脚部材２８はハウジング２１の頂部から上かつ外側へ伸びて形成される。つまり、三つの固定脚部材２８はハウジング２１に固定されることによってハウジング２１を持ち上げるため、従来の技術によって固定脚部材を蓋に配置する構造に優れた固定効果がある。言い換えれば、三つの固定脚部材２８はハウジング２１の頂部から所定の高さまで伸びるため、ハウジング２１は空調装置９１にぶら下がる状態になる。モーター２３が稼働して排水羽根車１９を回転させて生じた振動は空調装置９１にぶら下がる三つの固定脚部材２８によって吸収され、少なくなるため、騒音が小さくなる。
【００２２】
本発明は三つの固定脚部材２８と蓋３１を連結せず、ハウジング２１に蓋３１を覆う方式を採用するため、ハウジング２１のモーター格納室２２にモーター２３を格納し、蓋３１を被せればモーター２３の装着作業が完了する。従って、本発明はモーターケースとハウジングを組み合わせる際に遭遇する問題を考慮する必要がなく、上述した先行技術の問題を解決することができる。
【００２３】
上述した説明をまとめると、本発明は固定脚部材２８を蓋３１に配置する方式を採用せず、固定脚部材２８をハウジング２１に配置するため、従来の技術によって固定脚部材が蓋に配置されることが原因で構造が緩くなるという問題を解決できる。
また、本発明は固定脚部材２８をハウジング２１に配置し、蓋３１に後退空間３２を形成するため、蓋３１は固定脚部材２８を妨害せずハウジング２１を覆う。従って、本発明は構造が従来の技術とは異なるだけでなく、モーターケースを取り付ける際に問題が発生せず、モーターケースとハウジングを組み合わせる際に遭遇する問題を解決し、効果を向上させることができる。
【符号の説明】
【００２４】
１０  装着構造を有する空調装置用排水ポンプ
１１  ホルダー
１１１  凸状耳部
１２  吸水口
１４  排水口
１８  排水室
１９  排水羽根車
２１  ハウジング
２１１  柱状固定部
２２  モーター格納室
２３  モーター
２４  溢水収容室
２４１  溢水孔
２６  穿孔
２８  固定脚部材
２８１  板状胴部
２８２  補強リブ
２８４  平坦部
２８５  固定孔
３１  蓋
３１１  凸状耳部
３２  後退空間
９１  空調装置
９９  ボルト
【図１】
2020165421.tif 000003
【図２】
2020165421.tif 000004
【図３】
2020165421.tif 000005
【図４】
2020165421.tif 000006
【図５】
2020165421.tif 000007
【図６】
2020165421.tif 000008
【図７】
2020165421.tif 000009